(57)【要約】【課題】  中古車のオークションが開催された後に、取引が成立しなかった中古車を取り引きするシステムを構築する。【解決手段】  中古車取引システムは、中古車のオークションで取り引きが成立しなかった中古車の車輌情報を保持する、車輌情報保持手段と、前記車輌情報保持手段に保持されている中古車の価格情報を保持する、価格情報保持手段と、前記車輌情報と前記価格情報とを、買い手側コンピュータの要求に応じて、前記買い手側コンピュータに提供する、情報提供手段と、前記買い手側コンピュータから購入指示が入力された場合に、該当する中古車の取り引きを成立させる、取引成立手段と、を備える。【選択図】  図１
2005122431.tif 000002
【特許請求の範囲】
【請求項１】
中古車のオークションで取り引きが成立しなかった中古車の車輌情報を保持する、車輌情報保持手段と、
前記車輌情報保持手段に保持されている中古車の価格情報を保持する、価格情報保持手段と、
前記車輌情報と前記価格情報とを、買い手側コンピュータの要求に応じて、前記買い手側コンピュータに提供する、情報提供手段と、
前記買い手側コンピュータから購入指示が入力された場合に、該当する中古車の取り引きを成立させる、取引成立手段と、
を備えることを特徴とする中古車取引システム。
【請求項２】
中古車のオークションで取り引きが成立しなかった中古車の車輌情報を、車輌情報保持手段に保持させるステップと、
前記車輌情報保持手段に保持されている中古車の価格情報を、価格情報保持手段に保持させるステップと、
買い手側コンピュータの要求に応じて、前記車輌情報保持手段と前記価格情報保持手段とを検索し、前記車輌情報と前記価格情報とを前記買い手側コンピュータに提供するステップと、
前記買い手側コンピュータから購入指示が入力された場合に、該当する中古車の取り引きを成立させるステップと、
を備えることを特徴とする中古車取引システムの制御方法。
【発明の詳細な説明】
【技術分野】
【０００１】
本発明は、中古車取引システム及びその制御方法に関し、特に、中古車オークションにて取引が成立しなかった車輌を販売するための中古車取引システム及びその制御方法に関する。
【背景技術】
【０００２】
現在、中古車のオークションが日常的に行われており、このオークションでは出品された中古車がオークションにかけられ、最も高い入札金額を提示した買い手の金額に、中古車の売り手が同意した場合に、取引が成立するようになっている。また、このようなオークションにおいては、インターネットを用いて、予め入札価格を入力してもらう入札予約サービスも提供されている。
【０００３】
さらには、最近の通信環境の整備に伴い、オークション会場から離れた位置にいる参加者（買い手及び売り手）でも、インターネットや衛星通信回線を用いて、リアルタイムにオークションに参加することができる、リアルタイム応札参加システムも提供されてきている。
【発明の開示】
【発明が解決しようとする課題】
【０００４】
しかしながら、このようなオークションの仕組みでは、参加者は、オークションが開催される前に入札を受け付けるか、又は、オークションが開催されている最中にリアルタイムに応札するしかなかった。すなわち、オークションが開催された後に、中古車を販売する仕組み、及び、そのようなシステムは存在していなかった。
【０００５】
そこで本発明は、前記課題に鑑みてなされたものであり、オークションが開催された後に、中古車を取り引きするシステムを提供することを目的とする。
【課題を解決するための手段】
【０００６】
上記課題を解決するため、本発明に係る中古車取引システムは、
中古車のオークションで取り引きが成立しなかった中古車の車輌情報を保持する、車輌情報保持手段と、
前記車輌情報保持手段に保持されている中古車の価格情報を保持する、価格情報保持手段と、
前記車輌情報と前記価格情報とを、買い手側コンピュータの要求に応じて、前記買い手側コンピュータに提供する、情報提供手段と、
前記買い手側コンピュータから購入指示が入力された場合に、該当する中古車の取り引きを成立させる、取引成立手段と、
を備えることを特徴とする。
【０００７】
本発明に係る中古車取引システムの制御方法は、
中古車のオークションで取り引きが成立しなかった中古車の車輌情報を、車輌情報保持手段に保持させるステップと、
前記車輌情報保持手段に保持されている中古車の価格情報を、価格情報保持手段に保持させるステップと、
買い手側コンピュータの要求に応じて、前記車輌情報保持手段と前記価格情報保持手段とを検索し、前記車輌情報と前記価格情報とを前記買い手側コンピュータに提供するステップと、
前記買い手側コンピュータから購入指示が入力された場合に、該当する中古車の取り引きを成立させるステップと、
を備えることを特徴とする。
【発明の効果】
【０００８】
本発明によれば、オークションが開催された後に、中古車を取り引きするシステムを提供することができる。
【発明を実施するための最良の形態】
【０００９】
図１は、本実施形態に係る中古車取引システムのシステム構成を説明する図である。この図１に示すように、本実施形態に係る中古車取引システムは、メインサーバコンピュータ１０と、会場側サーバコンピュータ２０と、買い手側コンピュータ３０と、売り手側コンピュータ３２とを備えて構成されており、これらメインサーバコンピュータ１０と会場側サーバコンピュータ２０と買い手側コンピュータ３０と売り手側コンピュータ３２は、インターネット等の接続回線４０を介して相互に接続されている。
【００１０】
メインサーバコンピュータ１０は、例えば、この中古車取引システムを運営する会社のコンピュータ室に設置されているコンピュータである。このメインサーバコンピュータ１０には、出品車データベースＤＢ１０と落札情報データベースＤＢ１４とマスターデータベースＤＢ１６とが設けられている。出品車データベースＤＢ１０には、中古車のオークションが行われたが取引が成立しなかった中古車に関する情報、及び、それに付随する情報が格納されている。落札情報データベースＤＢ１４には、この中古車取引システムにおいて、買い手が落札した中古車に関する情報が格納されている。マスターデータベースＤＢ１６には、この中古車取引システムにログインするのに必要な会場番号やそれに対応するパスワードなどが予め登録されている。
【００１１】
会場側サーバコンピュータ２０は、オークションが行われた会場に設置されているコンピュータである。この会場側サーバコンピュータ２０には、画像情報データベースＤＢ１２が設けられている。この画像情報データベースＤＢ１２には、出品されている中古車の各種画像情報が格納されている。また、この画像情報データベースＤＢ１２に格納されている情報は、この中古車取引システムが中古車を取り扱う前に、この会場でオークションにかけられた際に入力された情報である。
【００１２】
買い手側コンピュータ３０は、この取引に参加する買い手が存在する場所にあるコンピュータであり、売り手側コンピュータ３２は、この取引に参加する売り手が存在する場所にあるコンピュータである。
【００１３】
図２は、本実施形態に係る中古車取引システムが実行する処理を説明するフローチャートを示す図である。この図２に示すように、まず、中古車取引システムは、ログイン（アクセス）を要求してきた参加者（買い手又は売り手）の認証を行う（ステップＳ１０）。
【００１４】
図３は、買い手側コンピュータ３０又は売り手側コンピュータ３２に表示される認証入力画面Ｗ１０の一例を示す図である。この認証入力画面Ｗ１０で、参加者は、フィールドＦ１０に会員番号を入力し、フィールドＦ１１にパスワードを入力する。そして、ログインボタンＢ１０をクリックする。これにより、参加者が入力した会員番号とパスワードとが、買い手側コンピュータ３０又は売り手側コンピュータ３２からメインサーバコンピュータ１０に送信される。メインサーバコンピュータ１０では、マスターデータベースＤＢ１６を検索し、送信されてきた会員番号とパスワードとが予めマスターデータベースＤＢ１６に登録されているものと合致するかどうかを判断し、合致した場合にはログインを認めるが、合致しなかった場合にはログインを認めない。
【００１５】
メインサーバコンピュータ１０がログインを認めた場合、図２に示すように、中古車取引システムは、買い手側コンピュータ３０又は売り手側コンピュータ３２にメインメニューを表示させる（ステップＳ１２）。図４は、買い手側コンピュータ３０又は売り手側コンピュータ３２に表示されるメインメニュー画面Ｗ２０の一例を示す図である。このメインメニュー画面Ｗ２０には、車種別検索ボタンＢ２０と、条件指定検索ボタンＢ２１と、自社落札車輌確認ボタンＢ２２と、自社出品車輌確認ボタンＢ２３と、購入可能会場の追加ボタンＢ２４とが含まれている。中古車を購入したいと考えている買い手のうち、車種別に中古車を検索したいと考えている者は、車種別検索ボタンＢ２０をクリックする。
【００１６】
車種別検索ボタンＢ２０がクリックされた場合、メインサーバコンピュータ１０は、買い手側コンピュータ３０に、中古車のメーカーを指定するための画面を表示させる（ステップＳ１４）。どのようなメーカが存在するかは、予めマスターデータベースＤＢ１６に登録されているので、メインサーバコンピュータ１０はこのマスターデータベースＤＢ１６を検索することとなる。
【００１７】
図５は、買い手側コンピュータ３０に表示されるメーカー指定画面Ｗ３０の一例を示す図である。この図５に示すように、メーカー指定画面Ｗ３０には、各種の自動車メーカを特定するメーカ特定ボタンＢ３０が設けられている。したがって、中古車を購入しようとしている買い手は、自分が欲しいと考えているメーカーのメーカ特定ボタンＢ３０をクリックする。
【００１８】
ここでは、トヨタのメーカー指定画面Ｗ３０がクリックされたと仮定する。この場合、メインサーバコンピュータ１０は、買い手側コンピュータ３０に、車種を指定させるための画面を表示させる（ステップＳ１６）。そのメーカーにどのような車種が存在するかは、予めマスターデータベースＤＢ１６に登録されているので、メインサーバコンピュータ１０はこのマスターデータベースＤＢ１６を検索することとなる。
【００１９】
図６は、買い手側コンピュータ３０に表示される車種指定画面Ｗ４０の一例を示す図である。この車種指定画面Ｗ４０には、買い手が指定したメーカーの車種が一覧形式で表示されるとともに、それぞれの車種毎にチェックボックスＢＸ４１が表示される。買い手は、自分が購入したいと考えている車種に対応するチェックボックスＢＸ４１にチェックを入れることにより、車種を選定できる。この場合、買い手は、複数の車種のチェックボックスＢＸ４１にチェックを入れることができる。このチェックボックスＢＸ４１にチェックを入れた状態で、買い手が検索ボタンＢ４０をクリックすると、買い手が選択した車種がメインサーバコンピュータ１０に送信される。
【００２０】
メインサーバコンピュータ１０では、買い手が選択した車種を、出品車データベースＤＢ１０の中から検索し、検索結果を一覧形式で買い手側コンピュータ３０に表示させる（ステップＳ１８）。図７は、買い手側コンピュータ３０に表示される車輌一覧画面Ｗ５０の一例を示す図である。この車輌一覧画面Ｗ５０には、出品されている中古車の中で、買い手が選択した車種の一覧が表形式で表示される。この一覧表には、車種名とそのグレード、その出品車の整理番号、業販価格、展示期日などに関する情報が含まれている。出品されている中古車に関するより詳細な情報を取得したい買い手は、詳細ボタンＢ５０をクリックする。
【００２１】
詳細ボタンＢ５０のクリックに応じて、メインサーバコンピュータ１０は、該当する中古車の詳細な情報を出品車データベースＤＢ１０内から検索する。また、メインサーバコンピュータ１０は、画像情報データベースＤＢ１２に格納されているその中古車の画像情報を、会場側サーバコンピュータ２０を介して特定する。そして、これらの検索結果を、車輌詳細情報として、買い手側コンピュータ３０に表示させる（ステップＳ２０）。図８は、買い手側コンピュータ３０に表示される車輌詳細情報画面Ｗ６０の一例を示す図である。
【００２２】
車輌詳細情報画面Ｗ６０には、テキスト情報表示フィールドＦ６０と、画像情報表示フィールドＦ６１とが含まれている。テキスト情報表示フィールドＦ６０には、出品車データベースＤＢ１０に格納されているテキスト情報が表示される。画像情報表示フィールドＦ６１には、画像情報データベースＤＢ１２に格納されている画像情報が表示される。
【００２３】
具体的には、画像情報表示フィールドＦ６１には、状態説明書画像ＩＭ６０と、フロント画像ＩＭ６１と、リア画像ＩＭ６２と、内装画像ＩＭ６３とが表示される。状態説明書画像ＩＭ６０には、このオークションの管理者が出品された中古車の状態を確認した説明書がイメージデータとして表示される。フロント画像ＩＭ６１には、出品された中古車のフロント画像がイメージデータとして表示される。リア画像ＩＭ６２には、出品された中古車のリア画像がイメージデータとして表示される。内装画像ＩＭ６３には、出品された中古車の内装画像がイメージデータとして表示される。これら状態説明書画像ＩＭ６０と、フロント画像ＩＭ６１と、リア画像ＩＭ６２と、内装画像ＩＭ６３とは、事前に行われる中古車のオークションで用意される画像である。このため、この中古車取引システムにおいては、改めてこれらの情報を入力する必要はない。これらの詳細な情報を見た買い手が、業販価格で購入をしたいと考えた場合には、購入ボタンＢ６０をクリックする。
【００２４】
購入ボタンＢ６０がクリックされた場合には、メインサーバコンピュータ１０は、買い手側コンピュータ３０に、最終的な意思表示を確認するための購入申込み画面を表示させる（ステップＳ２２）。図９は、買い手側コンピュータ３０に表示される購入申込み画面Ｗ７０の一例を示す図である。最終的にこの中古車を購入すると意思決定した買い手は、この購入申込み画面Ｗ７０のフィールドＦ７０に会員番号を入力し、フィールドＦ７１にパスワードを入力する。そして、購入ボタンＢ７０をクリックすることにより、購入指示がメインサーバコンピュータ１０に送信され、正式に取引が成立する。なお、本実施形態において、この購入申込み画面Ｗ７０で再度、会員番号とパスワードとを入力させるのは、購入意思を明確化し、誤操作による購入を回避するためである。
【００２５】
購入ボタンＢ７０がクリックされた場合、メインサーバコンピュータ１０は、出品車データベースＤＢ１０における該当する中古車の情報を落札済みにするとともに、その中古車の情報を、買い手を特定する情報とともに、落札情報データベースＤＢ１４に登録する。
【００２６】
次に、メインサーバコンピュータ１０は、買い手側コンピュータ３０に、この買い手が落札した中古車に関する情報を表示させる（ステップＳ２４）。具体的には、メインサーバコンピュータ１０は、落札情報データベースＤＢ１４を検索し、その買い手がこれまでに落札した中古車を抽出し、一覧形式で、買い手側コンピュータ３０に表示させる。図１０は、買い手側コンピュータ３０に表示される自社落札情報画面Ｗ８０の一例を示す図である。このように、買い手は、最終的にこれまで落札した中古車とともに、今回新たに落札した中古車の情報を、一覧形式で確認することができる。
【００２７】
上述した図６の車種指定画面Ｗ４０で、検索条件を指定するためのチェックボックスＢＸ４２を買い手がチェックし、検索ボタンＢ４２をクリックした場合、メインサーバコンピュータ１０は、買い手側コンピュータ３０に条件指定画面Ｗ９０を表示させる（ステップＳ３０）。図１１は、買い手側コンピュータ３０に表示される条件指定画面Ｗ９０の一例を示す図である。この図１１の例では、買い手は、フィールドＦ９０に平成１３年を入力し、フィールドＦ９１に平成１５年を入力し、フィールドＦ９２にマニュアル（ＭＴ）を入力し、フィールドＦ９３に１２００（１２０万円）を入力し、フィールドＦ９４に１３００（１３０万円）を入力している。これにより、図６の車種指定画面Ｗ４０で選択した車種の中で、年式が平成１３年から平成１５年の間で、マニュアルシフトの１２０万円から１３０万円の間にある中古車が検索されるようになる。すなわち、この図１１の状態で検索ボタンＢ９０がクリックされた場合、メインサーバコンピュータ１０は、出品車データベースＤＢ１０を検索し、車種指定画面Ｗ４０と条件指定画面Ｗ９０との双方の条件に合致する出品車を検索し、車輌一覧画面Ｗ５０として、買い手側コンピュータ３０に表示させる。
【００２８】
一方、上述した図４のメインメニュー画面Ｗ２０で、買い手が条件指定検索ボタンＢ２１をクリックした場合、メインサーバコンピュータ１０は、買い手側コンピュータ３０に条件を指定するための画面を表示させる（ステップＳ４０）。ここで、買い手側コンピュータ３０に表示される条件指定画面Ｗ９０は、図１１と同様である。但し、中古車のメーカーが指定されていないこととなるので、条件指定画面Ｗ９０で入力された条件に合致するすべての出品車を、メインサーバコンピュータ１０は出品車データベースＤＢ１０から検索することとなる。
【００２９】
図４のメインメニュー画面Ｗ２０で、買い手が自社落札車輌確認ボタンＢ２２をクリックした場合、メインサーバコンピュータ１０は、買い手側コンピュータ３０に、その買い手がこれまで落札した中古車を一覧形式で表示させる（ステップＳ２４）。すなわち、ここで買い手側コンピュータ３０に表示される自社落札情報画面Ｗ８０は、図１０と同様である。
【００３０】
図４のメインメニュー画面Ｗ２０で、売り手が自社出品車輌確認ボタンＢ２３をクリックした場合、メインサーバコンピュータ１０は、出品車データベースＤＢ１０を検索して、この中古車取引システムに登録されている会社が現在預かっているその売り手の中古車を一覧形式で、売り手側コンピュータ３２に表示させる（ステップＳ５０）。図１２は、自社出品情報画面Ｗ１００の一例を示す図である。この図１２に示すように、自社出品情報画面Ｗ１００は、現在出品されているその売り手の中古車の情報を表示するフィールドＦ１００と、取引が成立した等の理由により現在は出品されていないが、この中古車取引システムに登録されている会社が預かっている中古車の情報を表示するフィールドＦ１０１とを含んでいる。この自社出品情報画面Ｗ１００により、売り手は、この中古車取引システムにおける自社の中古車が、どのような状況になっているかを把握することができる。
【００３１】
この自社出品情報画面Ｗ１００で、売り手が、価格変更ボタンＢ１００をクリックした場合、メインサーバコンピュータ１０は、業販価格を変更するための画面を、売り手側コンピュータ３２に表示させる（ステップＳ５２）。図１３は、売り手側コンピュータ３２に表示される販売価格変更画面Ｗ１１０の一例を示す図である。この図１３に示すように、この販売価格変更画面Ｗ１１０では、クリックした価格変更ボタンＢ１００に対応する中古車の業販価格を変更することができる。すなわち、業販価格を変更したい売り手は、フィールドＦ１１０に新しい業販価格を入力し、登録ボタンＢ１１０をクリックする。これにより、メインサーバコンピュータ１０は、その中古車の業販価格を変更し、出品車データベースＤＢ１０に登録する。そして、上述したステップＳ５０の出品情報画面Ｗ１００に戻る。
【００３２】
一方、図１２の自社出品情報画面Ｗ１００で、売り手が出品取消ボタンＢ１０１をクリックした場合、メインサーバコンピュータ１０は、中古車の出品を取り消すための画面を、売り手側コンピュータ３２に表示させる（ステップＳ５４）。図１４は、売り手側コンピュータ３２に表示される出品取消確認画面Ｗ１２０の一例を示す図である。この図１４に示すように、この出品取消確認画面Ｗ１２０では、クリックした出品取消ボタンＢ１０１に対応する中古車の出品を取り消すことができる。すなわち、出品を取り消したい売り手は、表示された中古車の情報を確認した上で、取消実行ボタンＢ１２０をクリックする。これにより、メインサーバコンピュータ１０は、その中古車の出品を取り消し、出品車データベースＤＢ１０に登録する。そして、上述したステップＳ５０の出品情報画面Ｗ１００に戻る。
【００３３】
図４のメインメニュー画面Ｗ２０で、買い手又は売り手が購入可能会場の追加ボタンＢ２４をクリックした場合、メインサーバコンピュータ１０は、購入会場を新たに登録するための画面を、買い手側コンピュータ３０又は売り手側コンピュータ３２に表示させる。図１５は、買い手側コンピュータ３０又は売り手側コンピュータ３２に表示される購入可能会場の設定画面Ｗ１３０の一例を示す図である。
【００３４】
この購入可能会場の設定画面Ｗ１３０においては、フィールドＦ１３０に、この買い手又は売り手が参加している会社が一覧形式で表示される。また、フィールドＦ１３１に、この買い手又は売り手が参加可能な会場の一覧が表示される。これらフィールドＦ１３０、Ｆ１３１の情報は、メインサーバコンピュータ１０がマスターデータベースＤＢ１６を検索することにより特定される。
【００３５】
新たに参加できる会社を追加したい買い手又は売り手は、フィールドＦ１３２にその新たな会社から割り当てられている会員番号を入力し、フィールドＦ１３３にパスワードを入力し、登録ボタンＢ１３０をクリックする。入力された会員番号とパスワードはメインサーバコンピュータ１０のマスターデータベースＤＢ１６の登録情報と照合され、予め登録されている会員番号とパスワードと合致した場合は、その会社が新たに参加可能な会社としてこの中古車取引システムに登録される。このことから分かるように、この中古車取引システムでは、複数の異なる会社が運営する中古車の販売機構や取引会場を取り込むことができるようになっている。この図１５の例では、例えば、Ａ社及びＢ社に加えて、新たにＸ社の販売機構や取引会場を追加で登録できるようになる。
【００３６】
以上のように、本実施形態に係る中古車取引システムによれば、オークションで取引が成立しなかった中古車を取り引きできる仕組みを容易に構築することができる。すなわち、中古車の売り手と買い手との双方に、新たな中古車の取引機会を提供することができる。
【００３７】
また、本実施形態に係る中古車取引システムによれば、出品されている中古車は、売り手が指定した業販価格で取り引きされるので、オークションのように落札価格が予測できなくと言った不確実性を排除することができる。すなわち、中古車を、相場が反映された定価により確実に取り引きできるようになる。
【００３８】
なお、本発明は上記実施形態に限定されず種々に変形可能である。例えば、図１に示したシステム構成は本発明を実現するための一例に過ぎず、同等の処理を実現するための異なるシステム構成に置き換えることができる。
【００３９】
また、上述の実施形態で説明した各処理については、これら各処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、このプログラムが記録された記録媒体をメインサーバコンピュータ１０、会場側サーバコンピュータ２０、買い手側コンピュータ３０、及び、売り手側コンピュータ３２などのコンピュータに読み込ませ、実行させることにより、上述した実施形態を実現することができる。
【００４０】
また、コンピュータは、オペレーティングシステムや別のアプリケーションプログラム等の他のプログラムを備える場合がある。この場合、コンピュータの備える他のプログラムを活用し、記録媒体にはそのコンピュータが備えるプログラムの中から、上述した実施形態と同等の処理を実現するプログラムを呼び出すような命令を記録するようにしてもよい。
【００４１】
さらに、このようなプログラムは、記録媒体の形ではなく、ネットワークを通じて搬送波として頒布することも可能である。ネットワーク上を搬送波の形で伝送されたプログラムは、コンピュータに取り込まれて、このプログラムを実行することにより上述した実施形態を実現することができる。
【００４２】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだコンピュータは、そのプログラムの復号化や伸張化を行った上で、実行する必要がある。
【図面の簡単な説明】
【００４３】
【図１】本実施形態に係る中古車取引システムのシステム構成の一例を示す図。
【図２】本実施形態に係る中古車取引システムが行う中古車の取引処理を説明する図。
【図３】本実施形態に係る中古車取引システムにおける認証入力画面の一例を示す図。
【図４】本実施形態に係る中古車取引システムにおけるメインメニュー画面の一例を示す図。
【図５】本実施形態に係る中古車取引システムにおけるメーカー指定画面の一例を示す図。
【図６】本実施形態に係る中古車取引システムにおける車種指定画面の一例を示す図。
【図７】本実施形態に係る中古車取引システムにおける車輌一覧画面の一例を示す図。
【図８】本実施形態に係る中古車取引システムにおける車輌詳細情報画面の一例を示す図。
【図９】本実施形態に係る中古車取引システムにおける購入申込み画面の一例を示す図。
【図１０】本実施形態に係る中古車取引システムにおける自社落札情報画面の一例を示す図。
【図１１】本実施形態に係る中古車取引システムにおける条件指定画面の一例を示す図。
【図１２】本実施形態に係る中古車取引システムにおける自社出品情報画面の一例を示す図。
【図１３】本実施形態に係る中古車取引システムにおける販売価格変更画面の一例を示す図。
【図１４】本実施形態に係る中古車取引システムにおける出品取消確認画面の一例を示す図。
【図１５】本実施形態に係る中古車取引システムにおける購入可能会場の設定画面の一例を示す図。
【符号の説明】
【００４４】
１０  メインサーバコンピュータ
２０  会場側サーバコンピュータ
３０  買い手側コンピュータ
３２  売り手側コンピュータ
４０  接続回線
ＤＢ１０  出品車データベース
ＤＢ１２  画像情報データベース
ＤＢ１４  落札情報データベース
ＤＢ１６  マスターデータベース
【図１】
2005122431.tif 000003
【図２】
2005122431.tif 000004
【図３】
2005122431.tif 000005
【図４】
2005122431.tif 000006
【図５】
2005122431.tif 000007
【図６】
2005122431.tif 000008
【図７】
2005122431.tif 000009
【図８】
2005122431.tif 000010
【図９】
2005122431.tif 000011
【図１０】
2005122431.tif 000012
【図１１】
2005122431.tif 000013
【図１２】
2005122431.tif 000014
【図１３】
2005122431.tif 000015
【図１４】
2005122431.tif 000016
【図１５】
2005122431.tif 000017